Podtech/llm-jp-corpus-v4-ja_patent huggingface dataset:
(57)【要約】【課題】本発明は上肢及び下肢の筋力及び痙縮の測定することができ、痙縮があり手指が握りこんでいる場合であっても手指と掌の狭い間に挿入し、筋力や痙縮を測定することができる筋力測定装置を提供する。【解決手段】二枚の板及び緩衝剤で圧力センサーを挟むことにより、薄型、軽量、小型な形状とすることができる。薄型、軽量、小型な形状の筋力測定装置にすることにより手指と掌の狭い間に挿入し、筋力や痙縮を測定することができる。【選択図】図１
2013169448.tif 000002
【特許請求の範囲】
【請求項１】
上肢および下肢の筋力および痙縮を圧力センサーで検知する装置であって、二枚の板及び緩衝剤で圧力センサーを挟むことにより、軽量で小型で薄い形状を特徴とするセンサー。
【請求項２】
［請求項１］のセンサー、アナログデジタル変換器及び筋力解析プログラムを装備した動作コンピューターを含む筋力測定装置。
【発明の詳細な説明】
【技術分野】
【０００１】  本発明は、上肢および下肢の筋力及び痙縮を測定する筋力測定装置に関するものであ
【背景技術】
【０００２】  従来、筋力を計測する装置は大きく狭い部分に挿入して計測できる装置は存在していない。
【発明の概要】
【発明が解決しようとする課題】
【０００３】  解決しようとする問題点は、従来、筋力を計測する装置は大きく手指の筋力及び痙縮の測定は困難とされていた点である。特に拘縮があり手指が握りこんでいる場合には測定
【課題を解決するための手段】
【０００４】  本発明の目的は、痙縮があり手指が握りこんでいる場合であっても筋力及び痙縮が測定できる筋力測定装置を提供することである。【０００５】  前記目的を達成するために本発明は、請求項１記載の発明は、二枚の板及び緩衝剤で圧力センサーを挟むことにより、薄型、軽量、小型な形状とすることができる。【０００６】そのことにより、痙縮があり手指が握りこんでいる場合であっても手指と掌の狭い間に挿入することができ、筋力や痙縮を測定することができることを特徴とする。請求項２記載の発明により筋力及び痙縮の力を記録し定量的評価を行うことができる。
【発明の効果】
【０００７】  請求項１記載の発明は、薄型、軽量、小型な形状の筋力測定装置を使用することにより、上肢及び下肢の筋力及び痙縮の測定することができ、痙縮があり手指が握りこんでいる場合であっても手指と掌の狭い間に挿入し、筋力や痙縮を測定することができる。それにより治療による効果を評価することができる。
【図面の簡単な説明】
【０００８】
【図１】本発明の全体構成図である。
【図２】センサーの部分である。
【図３】使用例である。
【発明を実施するための形態】
【０００９】  以下、本発明による上肢及び下肢の筋力や痙縮の筋力測定装置の一実施形態を、図面を参照して詳細に説明する。
【０００１０】  本発明の一実施形態による筋力測定装置の基本構成は、例えば図１に示すごとく、センサー１０１と、アナログデジタル変換器１０２と、筋力解析プログラムを搭載した動作コンピューター１０３からなる。
【００１１】  筋力解析プログラム１０３は公知のプログラム言語で作成しても良いが、汎用表計算ソフトでも作成することができる。
【００１２】  図２に示すごとくセンサー１０６は二枚の板１０４及び緩衝剤１０５で圧力センサーを挟むことにより、薄型、軽量、小型な形状とすることができる。板１０４はプラスチックまたは金属でもよい。また、片面だけ板１０４及び緩衝剤１０５を貼るだけでもよい。
【００１３】センサー１０１に加重されると電気抵抗が低下する。それをアナログデジタル変換器１０２でデジタル信号に変換し１０３に取り込ませる。筋力解析プログラム１０３で力に計算され
【００１４】実施に際しては図３に示すごとく、検者１０７はセンサー１０１を手に持ち被検者の計測部位にあてその間の力を計測する。
【産業上の利用可能性】  医療分野において薄型の軽量小型筋力測定装置により筋力や痙縮の定量的評価を提供することは、医療の質、効率の改善に有用である。
【符号の説明】１０１  センサー
１０２  アナログデジタル変換器
１０３  筋力解析プログラムを搭載した動作コンピューター
１０４  板
１０５  緩衝材
１０６  圧力センサー
１０７  検者
１０８  被検者
【図１】
2013169448.tif 000003
【図２】
2013169448.tif 000004
【図３】
2013169448.tif 000005
(57)【要約】      （修正有）【課題】海難、釣り、レジャー用の救命胴衣は色々あるが、雪害用、すなわち雪下ろし用救命胴衣はいまだない。そこで雪下ろし用に頭から足首までの全身を衝撃から守るための繋ぎ救命胴衣を提供する。【解決手段】頭から足首まで包み衝撃から全身を守る救命胴衣です。命綱に救命胴衣の先を結んでおき、なんらかのアクシデントで雪と一緒に落下した時にピンが外れて繋ぎの救命胴衣が拡張（ふくらむ）し全身へのダメージを少なくします。またリュックサック救命胴衣は底部と側部とが、手動で拡張させる事が出来るので、津波対策、また、テントにもなるように工夫された画期的なリュックサック救命胴衣です。【選択図】図１
2013169447.tif 000002
【特許請求の範囲】
【請求項１】
上下繋ぎの救命胴衣で自動式拡張で全身を包んで守る救命胴衣である。
【請求項２】
リュックサックの底と脇に救命胴衣を付けた物である。手動式である。
【発明の詳細な説明】
【技術分野】
【０００１】  現在、色々なライフジャケット（救命胴衣）が出ているので技術分野においては貢献できるのである。
【背景技術】
【０００２】  海難事故や釣り、レジャーに関してはライフジャケットの名目ではあるが、地震災害、津波に対する救命胴衣が今だ見受けられない。特に近年日本海側は豪雪で雪下ろしの為に何十人と怪我をしたり命をなくされている。そこで雪下ろしの時に、身を守る繋ぎ救命胴衣と地震対策用リュックサック救命胴衣を考案発明したのである。
【発明の開示】
【発明が解決しようとする課題】
【０００３】  救命胴衣、ライフジャケット等作れる技術は確立している。繋ぎの救命胴衣、リュックサック救命胴衣はどこのメーカーでもすぐ作れるのである。
【課題を解決するための手段】
【０００４】  繋ぎの救命胴衣は、頭から足首まで全身を衝撃から守るために作られた物である。
また、リュックサック救命胴衣は津波の時の救命胴衣にもなるが、テントにも使えるのである。
【発明の効果】
【０００５】  雪下ろしの為の救命胴衣は現在までなかったので、これが普及する事で怪我人や死ぬ人が減るのである。
【発明を実施するための最良の形態】
【０００６】  今まさに２月半ばに、まさに大雪が予想され、国も除雪の為の予算の追加を余儀なくされている。早く人命の為に国交省が協力してくれる事が、最良の形態ではないのかと思う。
【実施例】
【０００７】  試作、実検中であり、実施例はまだないのである。
【産業上の利用可能性】
【０００８】  雪下ろし対策に人命を守る救命胴衣が、考案発明された事で、産業上、おおいに貢献する事ができる、繋ぎ救命胴衣とリュックサック救命胴衣である。
【図面の簡単な説明】
【０００９】
【図１】Ａ  繋ぎ救命胴衣  Ｂ  リュックサック救命胴衣
【符号の説明】（ア）命綱        （ア）リュックサック
（イ）ファスナー  （イ）フックの紐
（ウ）携帯電話    （ウ）ボンベ
（エ）フック      （エ）救命胴衣
（オ）ボンベ
（カ）フード
【図１】
2013169447.tif 000003
(57)【要約】      （修正有）【課題】家の中で静電気ハタキ又はマイクロファイバーで取ったホコリを除去することを提供する。【解決手段】掃除機の先に取り付けるホコリ取り具本体６に小さな穴９を開けてあり、その穴９からホコリを吸い取ることができる。【選択図】図６
2013169449.tif 000002
【特許請求の範囲】
【請求項１】
中空部を有する立体の一側面にパイプを設け、立体の上面に無数の穴を設けたことを特徴とする、静電気ハタキ又はマイクロファイバーのホコリ吸い取り具。
【請求項２】
立体は、静電気ハタキの縦長に添うように断面形状が略Ｕ字体であることを特徴とした、請求項１記載の静電気ハタキ又はマイクロファイバーのホコリ吸い取り具。
【発明の詳細な説明】
【技術分野】
【０００１】  本発明は家の中で掃除機で取りずらい凸の有る所のホコリを取る静電気ハタキ又はマイクロファイバーのホコリを吸い取る為のツールである。
【背景技術】
【０００２】  従来、家の中で凸の有る所での静電気ハタキ又はマイクロファイバーは種類も多く出ていたが、その取ったホコリを処分できる物はなかった。
【発明の概要】
【発明が解決しようとする課題】
【０００３】  従来、家の中で静電気ハタキ又はマイクロファイバーでホコリを取った後に窓かベランダで叩いて落していたが、洗濯物を干している人がいると静電気ハタキ又はマイクロファイバーのホコリを落とすことに気が引ける。
【課題を解決するための手段】
【０００４】  掃除機の先に取り付けるツールに小さな穴を開けてあり、その穴からホコリを吸い取ることができる。
【発明の効果】
【０００５】  家の中で静電気ハタキ又はマイクロファイバーでホコリを取った後に、柱又は物に固定するか足元に置き、外に出なくてもホコリを処分でき簡単に掃除を終わらせることが出来る。
【図面の簡単な説明】
【０００６】
【図１】本発明の正面図
【図２】Ａ−Ａ断面図
【図３】その他の実施例を示す正面図
【図４】その他の実施例を示す正面図
【図５】本発明の実施状態を示す側面図
【図６】第２の実施例を示す図
【図７】Ｂ−Ｂ断面図、斜視図
【発明を実施するための形態】
【０００７】  以下、本発明の実施の形態を説明する。
（イ）中空部（８）を有する立体（７）の側面（５）パイプ（１）を設ける。なお、パイ    プ（１）は接続部分から先端にかけて緩やかに細くなっている。ここでの立体（７）    とは、上面（３）下面（４）側面（５）を持つ物を示す、本体（６）を形成する物で    ある。
（ロ）立体（７）の上面（３）に、小さな穴（９）を設けている。
（ハ）側面（５）に設けたパイプ（１）と対向する位置にフック（２）を設け、柱又は物    に固定することができる。
（二）なお、第２の実施例として、図６および図７に示すとおり本体（６）は静電気ハタ    キの縦の円筒形が本体（６）に納まりよく、静電気ハタキの縦長に添うように縦長方    向に断面形状が略Ｕ字形状をしている本体（６）である。
本発明は以上のような構造である。
本発明を使用する時にパイプ（１）を掃除機の先端に差し込み、掃除機のスイッチを入れて、本体（６）の上面（３）の穴（９）の上に静電気ハタキを置いて１〜２回回転すれば、中空部（８）の中へ穴（９）からホコリを吸い取るツールである。
【符号の説明】
【０００８】  １パイプ、２フック、３上面、４下面、５側面、６本体、７立体、８中空部、９穴
【図１】
2013169449.tif 000003
【図２】
2013169449.tif 000004
【図３】
2013169449.tif 000005
【図４】
2013169449.tif 000006
【図５】
2013169449.tif 000007
【図６】
2013169449.tif 000008
【図７】
2013169449.tif 000009
(57)【要約】【課題】ジギングでの魚釣りにおいて、メタルジグ単体よりも高い集魚効果と、メタルジグ着底時にも魚を誘い続ける、枝針用ルアーを提供する。【解決手段】本体（１）に、糸を結びつける事ができ、釣り針を取り付ける事ができる輪を設けた枝針用ルアー。メタルジグを取り付けた幹糸に取り付ける事を特徴とする。【選択図】図３
2013169206.tif 000002
【特許請求の範囲】
【請求項１】
・メタルジグを結びつけた幹糸に取り付ける事を目的とした、枝針用ルアー。
【発明の詳細な説明】
【技術分野】
【０００１】この発明は、メタルジグなどルアーと釣竿の間の幹糸に取り付ける為のルアーに関するものである。
【背景技術】
【０００２】従来、ジギングではメタルジグ単体での使用であった。
【発明の概要】
【発明が解決しようとする課題】
【０００３】次のような課題があった。
・通常ジギング釣りではメタルジグ単体で魚を誘う為、集魚効果に限界がある。
・メタルジグが海底等に着底した時、魚を誘う効果が著しく低くなる。
【課題を解決するための手段】
【０００４】本体（１）に糸を結びつける、また釣り針を取り付ける輪（２）を設けた枝針用ルアー。
枝針用ルアーを、メタルジグを結びつけた幹糸に取り付ける。
本発明は、以下の構成よりなるジギング用枝針用ルアーである。
【発明の効果】
【０００５】メタルジグに動きを与えると、発明本体が同調して動く為、魚群のようになりメタルジグ単体よりも高い集魚効果が得られる。そしてメタルジグが着底した時、発明本体は着底していない為、魚を誘い続ける事ができる。
【図面の簡単な説明】
【０００６】
【図１】本発明の斜視図である。
【図２】本発明の断面図である。
【図３】本発明の使用時の斜視図である。
【発明を実施するための形態】
【０００７】以下、本発明を実施するための形態について説明する。
本体（１）内部に、糸を結ぶ付ける事ができ、釣り針を取り付ける事ができる用に形成した針金の輪（２）を設ける。
それを、親子サルカンやエダスにより幹糸に取り付ける。
場合によって、幹糸に枝針用ルアーを複数個取り付ける事で集魚効果を高める事ができる。
【符号の説明】
【０００８】１  本体
２  針金の輪
３  発明全体
【図１】
2013169206.tif 000003
【図２】
2013169206.tif 000004
【図３】
2013169206.tif 000005
(57)【要約】【課題】  水槽の悪臭及び濁りを取り除き、健康な水を作るため、ＥＭ（有用微生物群）菌と不織布濾紙を組み合わせた、濾過循環式観賞魚水槽を提供する。【解決手段】  濾過ケース（４）の内側にＥＭ菌を培養したフエルト（５）の上に濾紙受け（７）を設け、その中に、金網（９）と不織布濾紙（６）を敷きその上に沈殿物除去スポンジ（８）を設けた濾過循環式観賞魚水槽を特徴とする。【選択図】図２
2013169208.tif 000002
【特許請求の範囲】
【請求項１】
濾過ケース（４）の内側に、ＥＭ菌を培養したフエルト（５）を入れる、濾紙受け（７）の内側に、金網（９）と不織布濾紙（６）と沈殿物除去スポンジ（８）の組み合わせである。以上の構成になる、濾過循環式観賞魚水槽。
【発明の詳細な説明】
【技術分野】
【０００１】  この発明は、ＥＭ（有用微生物群）菌による抗酸化作用と不織布濾紙を組み合わせた濾過循環式観賞魚水槽に関するものである。
【背景技術】
【０００２】  従来、観賞魚水槽は活性炭と濾材、などの組み合わせである。
【発明の開示】
【発明が解決しようとした課題】
【０００３】  これは次のような欠点があった。  （イ）  水の汚れが早い。  （ロ）  水の腐敗による濁りと悪臭。  （ハ）  沈殿物が取り除けない。  （ニ）  水質が長時間保たれない。  （ホ）  水の交換が早く、水量が多くなる  本発明は以上のような欠点をなくすためになされたものである。
【課題を解決するための手段】
【０００４】従来の水槽では水と浮遊物のみの循環濾過であり糞及び食べカスなど沈殿物は濾過できないので［図１］の如く（１）（２）（３）の形態にして全体の水を循環させる様にした。
【０００５】  悪臭の元，さまざまな有機物を分解し抗酸化物質を作り出す腐敗菌の繁殖を抑える手段として沈殿物除去スポンジ（８）の上に循環水流し糞及び食べカスを取り除き、不織布濾紙（６）を通過させた後に、ＥＭ（有用微生物群）菌を培養したフエルト（５）を通す。
【０００６】  ＥＭ菌活性液（１０）を定期的に水量の１万分の１の量を加える、これは水を注ぎ足した分のＥＭ菌の補充である。本発明は、以上の構成よりなる、濾過循環式観賞魚水槽である。
【発明の効果】
【０００７】  水が綺麗に腐敗臭がなくなり、水の交換が少なくなり魚が元気になった。
【発明を実施するための最良の形態】
【０００８】以下、本発明を実施するための最良の形態について説明する。水槽（１）（２）（３）の上部の１端に濾過ケース（４）を設ける、その内側にＥＭ（有用微生物群）菌を培養したフエルト（５）を敷き  その上に濾紙受け（７）を設け、その中に金網（９）で空間を作り上に不織布濾紙（６）敷き、その中に沈殿物除去スポンジ（８）を入れる。これお使用するときは、環境にやさしく  経済的である。
【図面の簡単な説明】
【０００９】
【図１】本発明の側断面図である。
【図２】本発明の傾斜断面図である。
【符号の説明】
【００１０】１  ガラスケース２  ホッパー架台３  金網４  濾過ケース５  ＥＭ菌を培養したフエルト６  不織布濾紙７  濾紙受け８  沈殿物濾過スポンジ９  金網１０  ＥＭ活性液
【図１】
2013169208.tif 000003
【図２】
2013169208.tif 000004
(57)【要約】      （修正有）【課題】ハンガーに掛ける衣類の形状、大きさにより工夫しなければ掛けられない点を解消し、背の低い人も竿に掛けやすいように高さを調整できるハンガーを提供する。【解決手段】竿に掛ける上フック10に吊棒4を取り付けて、軸１の中心に差し込み、吊棒4を上下可能にすると共に、軸１を中心に回転できる肩掛アーム2a・2bを左右に取り付けて、軸１に接する肩掛アーム2a・2bの中心に左右対称に窪み3a・3aを設け、軸１にセットされた止木5が止木の自重で窪み3a・3bに落ちることにより、肩掛アーム2a・2bは上に自由に動き、止木5についている止木吊り上げ紐9を引っ張って止木5を窪み3a・3bより引き上げると、肩掛アーム2a・2bは自重で下に自動的に落ちて閉じることができる。【選択図】図５
2013169217.tif 000002
【特許請求の範囲】
【請求項１】
鳥の羽根のように軸を芯にして回転できる肩掛アームを左右に取り付け、軸に接する肩掛アームの中心に左右対称に窪みを設け、軸にセットされた止木が止木の自重で窪みに落ちることにより、肩掛アームは上に自由に動き、止木についている紐を引っ張って止木を窪みより引き上げると、肩掛アームは自重で下に自動的に落ちて閉じる構造を持つハンガー。
【請求項２】
竿に掛けるフックに吊棒を設置して、軸の中心に差し込み、吊棒を上下させてハンガーの高さを変えられる構造を持つハンガー。
【発明の詳細な説明】
【技術分野】
【０００１】
本発明は、衣類等の収納及び物干し用ハンガーに関するもの。
【背景技術】
【０００２】
従来のハンガーは、形状がほぼ統一され、竿に掛けるフックの高さも固定されているが、大き目の前開きの衣類、背の高い人が使用するのであれば十分であった。
【０００３】
しかし、頭から被る物、小さい物、背の低い人が掛ける場合に手間がかかる問題がある。
【０００４】
この改善策として、衣類の形・大きさに合わせて形が変えられ、高さの調整ができ、る物が必要である。
【先行技術文献】
【特許文献】
【０００５】
【特許文献１】特開2005-27988号広報
【発明の概要】
【発明が解決しようとする課題】
【０００６】
セーターのように頭から被る物、子供用の衣類を掛ける時、取り外す時に手間がかかる難点がある。
【０００７】
ハンガーを掛ける竿の位置が固定されており、使用する人の背丈が考慮されていない難点がある。
【０００８】
未使用時に保管するとき嵩張り広いスペースが必要とする難点がある。
【課題を解決するための手段】
【０００９】
本発明は、鳥の羽根のように軸（１）を芯にして回転できる肩掛アーム（2a・2b）を左右に取り付け、軸（１）に接する肩掛アーム（2a・2b）の中心に左右対称に窪み（3a・3b）を設け、軸（１）にセットされた止木（5）が止木の自重で窪み（3a・3b）に落ち
ることにより、肩掛アーム（2a・2b）は上に自由に動き、止木（5）についている止木吊り上げ紐（9）を引っ張って止木（5）を窪み（3a・3b）より引き上げると、肩掛アーム（2a・2b）は自重で下に自動的に落ちて閉じるようにした。
【００１０】
竿に掛ける上フック（10）に吊棒（4）を取り付けて、軸（１）の中心に差し込み、吊棒（4）を上下させてハンガーの高さを変えられるようにした。
【発明の効果】
【００１１】
従来のハンガーの肩掛部分を肩掛アームとして可動式にしたことにより、衣類を装着する時は肩掛アームは上に狭くなり、逆に取り外す時は下に狭くなる。用途に合わせて形が変えられるため衣類の形状・大きさに関係なく、作業がスムーズに行える。
【００１２】
高さが調整できることにより、使用する人の背丈にあわせられる。
【００１３】
吊棒があることにより衣類を重ねることなく二段に掛けることができ、狭い場所でも多く掛けられる。
【００１４】
小さく折り畳めることができるので、狭い場所で保管できる。
【図面の簡単な説明】
【００１５】
【図１】図１は未使用時の正面図。
【図２】図２は衣類を掛けた時の正面図。
【図３】図３は衣類をはずす時の正面図。
【図４】図４は衣類を掛けた時の斜視図。（実施例１）
【図５】図５は部品展開した各部品の斜視図である。
【発明を実施するための形態】
【００１６】
衣類を掛ける肩掛部分を鳥の羽根のように上下に動くようにし、用途（ハンガーの保管時・衣類をセット時・衣類を掛けた時・衣類を外す時）に合わせて形状を変えられる構造にした。
【００１７】
竿に掛けるハンガーのフックに高さを調整できる吊棒をつけた構造にした。
【実施例１】
【００１８】
図４は、本発明の一つの形で衣類を掛けたときの斜視図、止木５が窪み（3a・3b）に落ちていることにより、肩掛アーム（2a・2b）が衣類を掛ける位置にとまり、窪み（3a・3b）の幅だけ肩掛アーム（2a・2b）は上に自由に動く、この状態で止木吊り上げ紐９を引くことにより止木５が窪み（3a・3b）より引き上げら肩掛アーム（2a・2b）が自重で下に閉じる仕組みである。
【符号の説明】
【００１９】
1   軸
2a  肩掛アーム（右）
2b  肩掛アーム（左）
3a  窪み（右）
3b  窪み（左）
4   吊棒
5   止木
6   弁
7   弁留金具
8   弁心棒
9   止木吊り上げ紐
10  上フック
11  下フック 
12  紐穴
【図１】
2013169217.tif 000003
【図２】
2013169217.tif 000004
【図３】
2013169217.tif 000005
【図４】
2013169217.tif 000006
【図５】
2013169217.tif 000007
(57)【要約】【課題】樹脂シートの、表面に二次加工された物質を研削除去する、シート湿式連続研削装置【解決手段】連続運転を長時間安定して行う為、耐摩耗性に富み、研削能力の高いダイヤモンド砥粒を固着した円筒状砥石を使用し、砥石の一部表面を覆う様に、給水ノズルを配置し、砥石表面に水溶性研削液を、連続供給しながら研削を行うことで、研削粉の融着、飛散防止、粉塵爆発を回避しながら連続研削を行う研削装置。樹脂を基材とする。コイル状に巻かれたシート状の材料を、巻き出し、巻き取り装置を設置することで、研削材料の連続供給を可能とする、シート供給装置。  本発明は以上の構成からなるシート湿式連続研削装置である。【選択図】図１
2013169643.tif 000002
【特許請求の範囲】
【請求項１】
ダイヤモンド砥粒を固着した円筒状砥石（１）を使用し、その円筒状砥石表面の一部を覆うように、給水ノズル（２）を設置する、研削時は、砥石表面が常時濡れた状態を保つように、給水ノズルに水溶性研削液（３）を供給する研削液供給ポンプ（４）を有し、コイル状に巻き取った樹脂シート（５）を、巻出し装置（６）及び巻取り装置（７）で連続的に供給し、湿式研削することを特徴とする、シート湿式連続研削装置。
【発明の詳細な説明】
【技術分野】
【０００１】本発明は、コイル状に巻かれた樹脂を基材とする、シート材料の表面を、湿式で連続研削除去する為の、シート湿式連続研削装置に関するものである。
【背景技術】
【０００２】従来、樹脂を基材とし、表面を２次加工されたシート材料の表面から２次加工部分を有効かつ安全に、除去する手段がない為に、廃棄処分されていた。
【発明の概要】
【発明が解決しようとする課題】
【０００３】従来廃棄処分されていた、表面を２次加工された樹脂シート材料において、再資源化、生産コスト削減の為、基材部分を原料とし再利用する必要が高まっているが、乾式で樹脂を基材とする、シート表面を研削除去する場合は、研削熱で樹脂の基材が解け、砥石表面に融着し、短時間で砥石の目詰まりを発生させ、長時間安定して研削を行うことが困難であった。
研削時に生じる粉塵も、乾式で有るが為に、砥石の回転で生じる気流により、周囲に拡散させてしまい、確実に集塵することは困難であり、作業環境を害していた。
被削物の材質によっては、粉塵爆発を起こす可能性を持つ物もあり、集塵装置に防爆対応品が必要になるなど、運転設備面での制約も多くあった。
本発明は、以上のような問題点を解決し、廃棄処分されていたシート材を有効にリサイクルできるように、なされたものである。
【課題を解決するための手段】
【０００４】連続運転を長時間安定して行う為、耐摩耗性に富み、研削能力の高いダイヤモンド砥粒を固着した円筒状砥石を使用し、砥石の一部表面を覆う様に、給水ノズルを配置し、砥石表面に水溶性研削液を連続供給しながら研削を行うことで、研削粉の融着、飛散防止、粉塵爆発の回避をしながら連続研削を行う研削装置。
樹脂を基材とする。コイル状に巻かれたシート状の材料を、巻き出し、巻き取り装置を設置することで、研削材料の連続供給を可能とする、シート供給装置。
本発明は以上の構成からなるシート湿式連続研削装置である。
【発明の効果】
【０００５】産業廃棄物として廃棄処分されていた、不良品シートの表面を研削除去することで、単一素材となった、シート基材は高純度の再生原料材料として有効に再資源化することが可能となる。
研削粉として、分離回収された表面素材も、適切な処理を行えば、有効に再利用が可能となる。（回収した研削粉が、希少金属を含む場合は、非常に有効な回収手段となる。）
シート基材を廃棄処分せず、再利用が可能になることで、製品の生産コストを下げることができ、競争力の強化ができる。
湿式で研削を行う為、研削対象の樹脂基材が研削熱で砥石表面に融着するのを防止できる。
湿式で研削加工を行う為、乾式では粉塵爆発の危険性のある材料でも安全にシート表面の研削除去が行える。
湿式で研削を行うことで、研削粉が水溶性切削液に取り込まれる為、飛散し難く、作業環境の粉塵汚染を防止できる。
【図面の簡単な説明】
【０００６】
【図１】シート湿式連続研削装置の実施方法を示した説明図である。
【発明を実施するための形態】
【０００７】以下に本発明を実施するための形態を説明する。
使用する砥石は、長時間安定した切削性能を維持できる様に、ダイヤモンドの粒子を電子電鍍法で固着した円筒砥石（１）を使用する。湿式で研削を行う為、円筒砥石の芯金は、磁化されず、防錆能力の高い、オーステナイト系ステンレス鋼  ＳＵＳ３０４  又はＳＵＳ３１６を使用し製作する。
円筒砥石表面に研削中は常時、水又は、水溶性の切削液（３）を供給し研削を行うものとする。研削液供給する手段として、ロール表面を長さ方向に覆う給水ノズル（２）を設置する。カバーの構造は、ロール表面とカバーの間の空間を水密にできるように、カバーの側面または、端面から研削液を供給できる構造とする。研削粉は研削液に取り込まれた状態での排出する為、研削液供給ポンプ（４）により連続給水する。
連続研削を実施する為に、研削対象の樹脂シート（５）はコイル状に巻かれた形態で供給するものとする。
連続研削を実施する為に、コイル状シートの巻き出し機構（６）、巻き取り機構（７）を設置する。
研削されたシートの排出側は、巻き取り機構は必ずしも必要ではない。
研削対象の樹脂シート（５）は円筒砥石（１）に１０〜１８０°の範囲で抱きつくように接触させ、連続研削を行う。
本発明は、以上のような構成でこれを使用するときは、安全かつ、作業環境を汚染することなく、ダイヤモンド砥粒の高い研削性能と、耐摩耗性に、常時砥石表面が水密の為、研削粉が砥石表面に融着することなしに排出される為、長時間の安定した研削性能が維持できる様になる。
【符号の説明】
【０００８】１  ダイヤモンド固着円筒砥石
２  給水ノズル
３  水又は水溶性研削液
４  研削液供給ポンプ
５  コイル状に巻かれた樹脂シート
６  巻出し装置
７  巻取り装置
【図１】
2013169643.tif 000003
(57)【要約】【課題】解決しようとする課題は、特許文献１に開示されているような方法では、ブロー成形後の加工を行う時には、製品部と製品部ではない部分との境界部分は冷えて固くなっており、手作業では切り離す事が困難である為、カッターナイフを使用して切り離す必要があり、カッターナイフの使い損ないによる労働災害が発生する危険性があるという点である。【解決手段】熱可塑性樹脂のブロー成形用分割金型であって、分割金型と一体あるいは別体のピンチオフ部近傍に発熱体を敷設することにより前記課題を解決した。【選択図】図１
2013169661.tif 000002
【特許請求の範囲】
【請求項１】
熱可塑性樹脂のブロー成形用分割金型であって、分割金型と一体あるいは別体のピンチオフ部近傍に発熱体が敷設されていることを特徴とするブロー成形用分割金型
【請求項２】
請求項１における発熱体が電熱線であることを特徴とする請求項１記載のブロー成形用分割金型
【発明の詳細な説明】
【技術分野】
【０００１】
本発明は、バリ除去作業を容易とするブロー成形用金型に関する。
【背景技術】
【０００２】
ブロー成形用金型に関する従来技術としては特許文献１に開示されているようなものがある。
【０００３】
しかし、特許文献１に開示されているような方法でブロー成形後の加工を行う時には、ピンチオフ部分は冷えて固くなっており、素手による作業ではバリを切り離す事が困難である為、カッターナイフを使用して切り離す必要があるが、カッターナイフの使い損ないによって作業者がけがをする危険性が常につきまとっていた。
【先行技術文献】
【特許文献】
【０００４】
【特許文献１】特開２００７−３２６２２７号公報
【発明の概要】
【発明が解決しようとする課題】
【０００５】
解決しようとする課題は、ブロー成形品のピンチオフ部分は冷えて固くなっており、素手ではバリを切り離す事が困難である為、カッターナイフを使用して切り離す必要があり、カッターナイフの使い損ないによる労働災害が発生する危険性がある点である。本発明は上記の点を解決するためになされた。
【課題を解決するための手段】
【０００６】
上記目的を果たすため本発明は、熱可塑性樹脂のブロー成形用分割金型であって、分割金型と一体あるいは別体のピンチオフ部近傍に発熱体が敷設されていることを最も主要な特徴とする。
【０００７】
また、前記発熱体が電熱線であることを第２の主要な特徴とする。
【発明の効果】
【０００８】
本発明によれば、熱可塑性樹脂のブロー成形用分割金型と一体あるいは別体のピンチオフ部近傍に発熱体を敷設することで、発熱体の発熱によって、ピンチオフ刃近傍のパリソンを完全には固化させず軟らかいままに保てるため、バリを製品部から素手で簡単にむしりとることができ、作業者を不測の怪我から守ることができるという利点がある。
【図面の簡単な説明】
【０００９】
【図１】分割金型３，３’の片割れの分割金型３の断面図
【図２】吹込み完了時の分割金型３，３’の断面図
【発明を実施するための形態】
【００１０】
カッターナイフの使い損ないによる労働災害の危険性をなくすという目的を、
熱可塑性樹脂のブロー成形用分割金型であって、分割金型と一体あるいは別体のピンチオフ部近傍に発熱体が敷設されている分割金型を使用することによって、経済性を損なわずに実現した。
【実施例１】
【００１１】
本発明の構成を発明の実施の形態に基づいて説明すると次の通りである。
図１は自動車用リザーブタンクのブロー成形用分割金型３，３’の片割れの分割金型３の断面図である。
６は、キャビティー面である。
７は、ピンチオフ刃である。
８は、電熱線である。
前記分割金型３，３’の前記ピンチオフ刃７近傍に、前記ピンチオフ刃７の全長にわたって前記電熱線８が敷設されている。
【００１２】
次に本発明の作用を説明する。前記分割金型３，３’内に半溶融状態にあるポリプロピレン等の熱可塑性樹脂のパリソン（図示せず）を垂下させ前記分割金型３，３’を型締めする。
【００１３】
その後パリソン内に圧縮空気を吹き込む。
図２は、吹込み完了時の前記分割金型３，３’の断面図である。
吹き込み後、前記分割金型３，３’への熱伝導によりパリソンを冷却するが、従来のブロー成形工法の場合、前記ピンチオフ刃７近傍のパリソンも冷却されてしまい、固くなってしまう。
しかし、前記電熱線８に電流を流しておけば前記電熱線８から発せられるジュール熱によって、前記ピンチオフ刃７近傍のパリソンは完全には固化せず軟らかいままである。
【００１４】
尚、パリソンに適用される熱可塑性樹脂としてはポリプロピレンに限らず、ポリエチレンや他のポリオレフィン系樹脂、ポリエチレンテレフタレートやポリブチレンテレフタレート、ポリエチレンナフタレート等のポリエステル系樹脂、ポリアミド系樹脂、ポリアセタール系樹脂、シンジオタクチックポリスチレン、ポリスチレン、ゴム改質ポリスチレン、アクリロニトリル−スチレン共重合体、アクリロニトリル−ブタジエン−スチレン共重合体、変性ポリフェニレンオキサイド、ポリフェニレンサルファイド、ポリカーボネート等、ブロー成形が可能な樹脂であれば何でも良い。
【００１５】
その後離型し、バリ４を除去して自動車用リザーブタンクのブロー成形を完了させる。
この時、前記ピンチオフ刃７近傍のパリソンは軟らかいままであるから前記バリ４は製品部から素手で簡単にむしりとることができる。
【００１６】
尚、上記実施例ではピンチオフ刃７近傍の分割金型３，３’内に電熱線８を直接敷設した例を示したが、ピンチオフ刃７を分割金型３，３’とは別体のピンチオフ刃体（図示せず）とし、前記ピンチオフ刃体と分割金型３，３’との間に電熱線８を敷設してもよい。
【００１７】
また、前記電熱線はこれに限るものではなく、他の発熱体でもよい。
【００１８】
また、実施例の中では、リザーブタンクを例に出して説明をしているが、リザーブタンクに限らず、他の成形品をブロー成形にて形成する分割金型でも同様である。
【００１９】
以上実施例に述べたように本発明によれば、
分割金型と一体あるいは別体のピンチオフ部近傍に発熱体を敷設することで、発熱体の発熱によって、ピンチオフ刃近傍のパリソンを完全には固化させず軟らかいままに保てるため、バリを製品部から素手で簡単にむしりとることができ、作業者を不測の怪我から守ることができるという利点がある。
【産業上の利用可能性】
【００２０】
本発明は、ブロー成形に使用する分割金型に利用可能である。
【符号の説明】
【００２１】
３，３’    分割金型
４    バリ
６    キャビティー面
７    ピンチオフ刃
８    電熱線
【図１】
2013169661.tif 000003
【図２】
2013169661.tif 000004
(57)【要約】【課題】本発明は、屋上などの平坦なスペースに、多様な形状で、軽量かつ組立が容易な植栽コンテナを提供することを目的とする。【解決手段】プラスチックなどの軽量素材をL字型に成型した、側面パネル(１) ・コーナーパネル１(2) ・コーナーパネル２(3)を組み合わせることにより、多様な形状で、かつ野菜栽培などに十分な深さ(30cm以上) の植栽コンテナを作ることが出来るようにする。パネル自体は軽量であるが、パネルがL字型をしているので、組み立てて中に土を入れると、図9に示すように、土の重みが底板部に作用しパネルがしっかりと自立するため、十分に土留めの役割を担う。各パネルどうしは、固定用ねじ(4) で簡単に組立てることが出来るため、お年寄りや女性などでも気軽に施工可能である。【選択図】図１
2013169164.tif 000002
【特許請求の範囲】
【請求項１】
本発明では、プラスチックなどの軽量素材をL字型に成型したパネル（1）・（2）・（3）を使用する。
パネルがL字型をしていることにより、図９に示すようにコンテナ内の土の荷重が底板部に作用し、パネルが安定する。それにより、組み立てたコンテナ全体も安定する。
【発明の詳細な説明】
【技術分野】
【０００１】
本発明は、屋上などの平坦なスペースに、L字型に成型したパネルを組み合わせて多様な形状の深さのある安定したコンテナを作成し、野菜などの土厚を必要とする植物の植栽スペースとして利用するものである。
【発明の概要】
【発明が解決しようとする課題】
【０００２】
従来、深さの十分な植栽スペースを確保するには、レンガやブロックなどの重量物を積み上げて土留めを造作する方法が一般的だが、この方法では材料自体が重く搬入が困難で、また施工も煩雑なため、気軽に造作するということが困難であった。本発明は、この課題を解消するためになされたものである。
【課題を解決するための手段】
【０００３】
プラスチックなどの軽量素材をL字型に成型した、側面パネル(１) ・コーナーパネル1(2) ・コーナーパネル2(3)を組み合わせることにより、多様な形状で、かつ野菜栽培などに十分な深さ(30cm以上) の植栽コンテナを作ることが出来るようにした。また固定用ねじ(4) で簡単に組立てることが出来る。
【発明の効果】
【０００４】
パネル自体は軽量であるが、パネルがL字型をしているので、組み立てて中に土を入れると、図9に示すように、土の重みが底板部に作用しパネルがしっかりと自立するため、十分に土留めの役割を担う。従来のレンガやブロックなどと比較して非常に軽量なため、設置場所への搬入が容易で、また屋上などの荷重制限があるスペースでの設置に適している。組立も簡単なので、お年寄りや女性などでも気軽に施工可能である。
【図面の簡単な説明】
【０００５】
【図１】本発明の斜視図(組立経過)である。
【図２】本発明の斜視図(コンテナ組立例)である。
【図３】側面パネル(1) の平面図である。
【図４】側面パネル(1) の立面図である。
【図５】コーナーパネル１(2) の平面図である。
【図６】コーナーパネル１(2) の立面図である。
【図７】コーナーパネル2(3) の平面図である。
【図８】コーナーパネル2(3) の立面図である。
【図９】本発明の断面イメージ図( 組立時) である。
【図１０】パネルの組立例である。  組立例1：パネル（1）・（2）を使用。  組立例2：パネル（1）・（2）・（3）を使用。  組立例3：パネル（1）・（2）・（3）を使用。
【発明を実施するための形態】
【０００６】
以下、本発明の実施の形態について説明する。
（イ）．図1・図2は本発明の実施例を表すもっとも一般的な組立例である。
側面パネル（1） とコーナーパネル（（2）または（3））をねじ用の穴が開い
た接続部位（5）で重ね合わせ、固定用ねじ( ＋ナット)（4）で固定し、コ
ンテナを組み立てる。
（ロ）．図3・図4は側面パネル（1） の平面図および立面図である。
パネルには底板部を設けており、L字型をしている。側面部と底板部との接
続を補強するために、補強用羽根（6） を設けている。また底板部には、排
水用の水抜き穴（7）と、排水をよりスムーズにするため底上げ用あし（8）
を設けている。
補強用羽根については、解体時の収納・運搬を考慮して、折りたたみ式に
するなどの工夫も可能である。
図5・図6はコーナーパネル１（2）の平面図・立面図、図7・図8はコ
ーナーパネル2（3）の平面図・立面図である。側面パネル（1）と同様、底
板部を設け、L字型の立面形状をしている。また、側面パネル（1）と同様、
水抜き穴（7）と、底上げ用あし（8）を設けている。
コーナーパネルについては、90度の角度に限らず、R状や他角度の採用
も可能である。
（ハ）．図9はコンテナを組み立て植栽を施した際の断面イメージである。
パネルがL字型をしているため、コンテナ内の土の荷重が底板部に作用し、
パネルが安定する。それにより、組み立てたコンテナ全体も安定する。
（ニ）．図10はパネル（1）・（2）・（3）を利用したコンテナの組立例である。
図のように多様な形状・サイズのコンテナ作成が可能となる。  
【実施例】
【０００７】
図10に本発明の実施例を記す。
【符号の説明】
【０００８】
1  側面パネル
2  コーナーパネル１
3  コーナーパネル2
4  固定用ねじ
5  接続部位
6  補強用羽根
7  水抜き穴
8  底上げ用あし
【図１】
2013169164.tif 000003
【図２】
2013169164.tif 000004
【図３】
2013169164.tif 000005
【図４】
2013169164.tif 000006
【図５】
2013169164.tif 000007
【図６】
2013169164.tif 000008
【図７】
2013169164.tif 000009
【図８】
2013169164.tif 000010
【図９】
2013169164.tif 000011
【図１０】
2013169164.tif 000012
(57)【要約】【課題】センサ付ブラシレスモータの耐温度信頼性を改善する【解決手段】ロータの角度位置検出センサをモータ本体に使用している部材，すなわち導電体，絶縁体，磁性体および非磁性体等の材料の組み合わせで構成する。具体的にはロータに取り付けた磁極パターンを検出させる為の半径方向に凹凸のついた導電性円板[104]とその円板の凹凸をモータの相位置に連携して検出する様に取り付けた相数分の磁性体とコイルで構成された磁気センサ[101〜103]によって，制御に必要なロータの角度位置情報を制御部に検出させるセンサをモータ本体の耐温度信頼性を損ねずに具備する事。【選択図】図１
2013169045.tif 000002
【特許請求の範囲】
【請求項１】
ロータの角度位置検出センサを有し,かつブラシを持たないモータにおいて，該センサをモータ本体に使用している部材，すなわち導電体，絶縁体，磁性体および非磁性体のみで構成したもの。
【請求項２】
ロータの角度位置検出センサを有した，ブラシレス・モータにおいて，該センサをモータ本体に使用している部材，すなわち導電体，絶縁体，磁性体および非磁性体等の組み合わせで構成した，ブラシレス・モータ。
【発明の詳細な説明】
【技術分野】
【０００１】
電動モータにおけるロータ角度位置センサの構成方法に関する発明
【背景技術】
【０００２】
電動モータのロータの角度位置検出はホール素子により行われている。この事で直流モータのブラシレス化がなされ，メインテナンスフリーとなった。同時に効率の改善，静音化，塵介の抑制などが達成された。
【０００３】
しかしながら，ロータ回転角度位置検出に使われているホール素子は半導体部品であり，温度上昇で特性が変化する他，摂氏125度以上の環境では製品の信頼性が保証されない。結果的にホール素子を使ったセンサ付モータの耐温度信頼性は摂氏125度以下に限定される。
【０００４】
その為に電動バイクや洗濯機などの劣環境でかつ，比較的負荷の重い用途では密閉構造にする事で放熱が難しくなり，モータ自身の耐温度信頼性が確保し難くなっている。
【０００５】
上記に鑑みて，センサレス・ブラシレス・モータの開発も進められているが脱調の問題やセンサ付きに比べ制御回路の複雑さなどの障害がある。
【先行技術文献】
【特許文献】
【０００６】
【特許文献１】特開平9-215298
【特許文献２】特開2006-74938
【特許文献３】特開2008-167638
【発明の概要】
【発明が解決しようとする課題】
【０００７】
動作中のモータの内部温度が常温〜85度程度であればホール素子をセンサとして使用する事に特に問題は無い。しかしながら，野外や水回り環境で使用するモータは密封構造となり熱がこもる関係で，モータの内部温度を常に摂氏125度以下に抑えるには色々と工夫が必要で製造コストを押し上げている。この事がセンサレス・モータ開発への動機となっているが，センサレス・モータの制御回路は複雑で，角度位置を誤る脱調の問題もある。
【課題を解決するための手段】
【０００８】
センサ部をモータ本体に使用している材料と同等の導電体，絶縁体，磁性体，および非磁性体等のみに限定した材料構成とする事で，モータ全体の耐温度信頼性を劣化させることなく，センサ付ブラシレス・モータを実現出来る。
【０００９】
センサの検出方式としては磁気センサの応用もその一つとして考えられるが，本発明では方式は限定しない。
【発明の効果】
【００１０】
このセンサを製造する為の材料はモータ本体と同等な為，そのセンサを組み込んだモータの耐温度信頼性もモータ本体のそれと同等にする事が出来る。また，これらの材料の温度に対する物理特性は半導体ホール素子と比べて安定な為，高温動作での特性変動も極めて小さく出来る。さらにこのセンサはモータ本体を製造している企業体・グループで内製出来るので，生産管理，コスト面でも優位性を保てる。
【図面の簡単な説明】
【００１１】
【図１】６極３相モータにおけるセンサ構造実施例
【図２】磁気センサの主要部品（磁性体）の四面図
【図３】図2の部品に絶縁導線を巻いてコイルを形成した状態の四面図
【図４】図3の部品の動作原理の説明図
【図５】磁気センサから信号を取り出す制御回路例
【実施例】
【００１２】
実施例として，磁気回路遮断型のセンサを使用する。本センサの本体はフェライト等の磁性体により，図2に示す様な形状を持つ。
【００１３】
図3に示す様にフェライト部品の胴体部分に絶縁導体（エナメル線等）を巻き磁気コイルを形成した物を磁気センサとする。
【００１４】
このセンサ[401]のコイルに高周波信号を印加[405]すると交流磁界が発生し，エアーギャップ[403]を挟んだ磁気回路[402]が構成される。フェライトの透磁率は空気の透磁率（≒1.00）と比べて格段に大きいので，磁気回路[402]の磁気抵抗はエアーギャップの形状によって，支配的に決まる。
【００１５】
前記の状態に対し，導電体板[404]をエアーギャップに挿入すると導体内に渦電流を生じる。渦電流は磁力線の導体内への侵入を阻害する結果になり，結果的に磁気抵抗が大きくなる。
【００１６】
端子[405]から観測される該コイルのインダクタンスは直交する磁気回路の磁気抵抗に反比例するので，導電体を挿入するとインピーダンスが小さくなる。このインピーダンスを間接的に観測する事でセンサ機能が実現出来る。
【００１７】
図5は制御回路の実施例である。振幅の安定した正弦波を発生器[503]で発生し，抵抗経由でセンサのコイルに印加する。印加ノード[504]には抵抗とコイルの上記正弦波の周波数に応じたインピーダンスとによって分割された振幅の正弦波が現れる。その交流成分をキャパシタンス[505]に拠って抽出し，振幅を評価することで導電体[502]がエアーギャップに有るか無いかを判断できる。
【符号の説明】
【００１８】
図１
101#1,101#2：ロータの角度０°および180°を識別するセンサ
102#1,102#2：ロータの角度60°および240°を識別するセンサ
103#1,103#2：ロータの角度120°および300°を識別するセンサ
104#1,104#2：ロータと連動し，センサの磁気回路を遮断・解放を行う導電性部品
図2
201：磁気センサの磁性体からなる基本部品
図3
301：201部品に絶縁導線をコイル状に巻いた磁気センサ部品
図４
401：磁気センサ部品本体
402：磁気センサに交流信号を印加した時に発生する磁力線
403：上記磁力線が通過するエアーギャップ部
404：上記エアーギャップ部をロータの回転に同期して挿入・排出を繰り返す導電体板
405：コイルに交流信号を印加する端子および見かけのインダクタンス
図5
501：磁気センサ本体
502：上記磁気センサ エアーギャップ部をロータの回転に同期して挿入・排出を繰り返す導電体板
503：センサを駆動する為の高周波発生回路
504：抵抗経由で高周波を供給し，信号を読み出すポイント
505：高周波信号を分離する為のキャパシタンス
506：高周波信号の振幅を抽出，しきい値と比較する回路
507：判定出力（０または１）
【図１】
2013169045.tif 000003
【図２】
2013169045.tif 000004
【図３】
2013169045.tif 000005
【図４】
2013169045.tif 000006
【図５】
2013169045.tif 000007
(57)【要約】【課題】ケータイスマホのヘアバンドの固定とメモがあったが複雑で手間がかかったのでこの欠点をなくす。【解決手段】ケータイスマホをヘアバンドで頭耳に固定しハンズフリーになった両手でヘアバンドとともに取り出したＡ７ケースからのペンと手帳で単純に早くケータイスマホで話しながらのメモがとれる。【選択図】なし【特許請求の範囲】
【請求項１】
（イ）携帯電話やスマートフォンをストラップに付けているＡ７ケースからヘアバンドを取り出しその弾力性で頭耳に固定しハンズフリーにする。
（ロ）さらにＡ７ケースからこのケースに入る大きさのペンと手帳を出しハンズフリーとなった両手で携帯電話やスマートフォンで話しながらメモすることが可能になる。
以上の如く特徴を持つスマホケータイ耳固定ヘアバンドとペンと手帳を収納するＡ７ケース付きストラップ。
【発明の詳細な説明】
【技術分野】
【０００１】  本発明は、ケータイやスマホの耳固定とメモに関する。
【背景技術】
【０００２】  従来、ケータイやスマホの耳固定とメモがあったが複雑で手間がかかった。【０００３】
【特許文献１】  登録実用新案第３０６２６０５号公報
【特許文献２】  登録実用新案第３０９８０７９号公報
【特許文献３】  特許公開平９−２００３１４号
【発明の開示】
【発明が解決しようとする課題】
【０００４】  従来、ケータイスマホでのメモで手間がかかったので早くて単純にする。
【課題を解決するための手段】
【０００５】  ケータイスマホに付けるストラップにヘアバンドとペンと手帳をＡ７ケースに収納しケータイスマホをヘアバンドで固定しハンズフリーでペンと手帳でメモする。
【発明の効果】
【０００６】  ケータイスマホをハンズフリーに使い早くて単純にメモが可能となる。
【発明を実施するための最良の形態】
【０００７】    ケータイスマホをストラップに付けているＡ７ケースからヘアバンドを取り出しその弾力性で頭耳に固定しハンズフリーにする。さらにＡ７ケースからこのケース入るおおきさのペンと手帳を出しハンズフリーとなった両手でケータイスマホで話しながらメモすることが可能になる。以上の如く特徴を持つスマホケータイ耳固定ヘアバンドとペンと手帳を収納するＡ７ケース付きストラップ。
【実施例】
【０００８】    上記の如く実施される。
【産業上の利用可能性】
【０００９】    ケータイやスマホの固定やメモの関連発明考案が従来あったが手間がかかって複雑だったためその欠点をなくしたスマホケータイ耳固定ヘアバンドとペンと手帳を収納するＡ７ケース付きストラップは産業上の利用可能性は高いと解される。